(57)【特許請求の範囲】
【請求項１】
既存の建物の屋根部を改修するための屋根構築工法であり、
既存の建物の支持ベース上の屋根部を解体・撤去する屋根部解体・撤去工程と、
前記支持ベース材上に風雨を遮蔽する屋根面と強度を高めるための凸部とが屈折形成された下葺き外囲板を敷設し、前記凸部で野地板支持台を構成するようにした下葺き工程と、
前記野地板支持台に野地板を固設して中空の補強空間が複数形成された屋根支持構造体を構成するようにした野地面構築工程と、
前記野地板の面上に複数の下地断熱材をその表面に勾配を有して敷設する断熱材敷設工程と、
前記下地断熱材の上に防水シートを敷設する下葺き材敷設工程と、
前記防水シートの上に前記下地断熱材の勾配方向に複数の溝が所定の間隔を存して形成された合板から成るバックアップ材を敷設するバックアップ材敷設工程と、
前記バックアップ材に形成された溝に金属板から成るガーターを嵌合配置し、該バックアップ材上に葺上げ材を敷設して屋根面を構築する葺上げ工程と
から成り、これらの工程を屋根部解体・撤去工程、下葺き工程、野地面構築工程、断熱材敷設工程、下葺き材敷設工程、バックアップ材敷設工程、葺上げ工程の順で順次施工するようにしたことを特徴とする屋根構築工法。
【発明の詳細な説明】
【０００１】
【発明の属する技術分野】
本発明は、既存の建物の屋根を改修したり、あるいは新築の建物の屋根を構築するための屋根構築工法に関する。
【０００２】
【従来の技術】
従来、既存の建物の屋根を改修するときは、軒桁より上の屋根材、下葺き材、野地板、垂木等の屋根部は全て解体・撤去し、その後、新しい屋根部を構築している。また、新築の建物の工事の場合は、建物の外壁や軒桁等の骨格が出来上がった後に屋根部を構築している。
【０００３】
【発明が解決しようとする課題】
既存の建物の屋根部を撤去した場合、あるいは、新築の建物の骨格が出来上がった段階では、建物の上部をシートで覆っておかないと、建物の内部が風雨に晒されてしまうことになる。しかるに、シートによる覆いは強風に対して無防備であり、しかもシートを覆ったり、あるいは撤去する作業が面倒であるという問題点が存した。
本発明の主たる目的は、上記問題点を解決することである。
本発明の他の目的は、強度が大きく、屋上や庭園等としても利用可能な屋根を構築できるようにすることである。
【０００４】
【課題を解決するための手段】
上記目的を達成するため、本発明は、既存の建物の屋根部を改修するための屋根構築工法であり、既存の建物の支持ベース上の屋根部を解体・撤去する屋根部解体・撤去工程と、前記支持ベース材上に風雨を遮蔽する屋根面と強度を高めるための凸部とが屈折形成された下葺き外囲板を敷設し、前記凸部で野地板支持台を構成するようにした下葺き工程と、前記野地板支持台に野地板を固設して中空の補強空間が複数形成された屋根支持構造体を構成するようにした野地面構築工程と、前記野地板の面上に複数の下地断熱材をその表面に勾配を有して敷設する断熱材敷設工程と、前記下地断熱材の上に防水シートを敷設する下葺き材敷設工程と、前記防水シートの上に前記下地断熱材の勾配方向に複数の溝が所定の間隔を存して形成された合板から成るバックアップ材を敷設するバックアップ材敷設工程と、前記バックアップ材に形成された溝に金属板から成るガーターを嵌合配置し、該バックアップ材上に葺上げ材を敷設して屋根面を構築する葺上げ工程とから成り、これらの工程を屋根部解体・撤去工程、下葺き工程、野地面構築工程、断熱材敷設工程、下葺き材敷設工程、バックアップ材敷設工程、葺上げ工程の順で順次施工するようにしたものである。
【０００５】
【発明の実施の形態】
以下に本発明の実施の形態を添付した図面を参照して詳細に説明する。
[第１工程（屋根部解体・撤去工程）]
図２に示す既存の建物（２）の屋根部分（４）を改修する場合には、まず、この既存の屋根部分（４）をすべて撤去し、取り除く。本実施形態において、建物の屋根部分（４）は、妻梁（６）上に設置された束（８）と、母屋（１０）と、垂木（１２）と、野地板（１４）と、防水シート(図示省略)と、屋根材（１６）とから成り、これら、妻梁（６）上の屋根部分は全て撤去する。
【０００６】
[第２工程（下葺き工程）]
次に妻梁（６）上に屋根及び構造材兼用の金属板から成る下葺き外囲板（１８）を敷設する(図１Ａ参照)。既存の建物（２）の屋根部分（４）を第１工程で除去すると、建物（２）の内部の家財等が風雨に晒される危険が生じるが、妻梁（６）に下葺き外囲板（１８）を敷設することで、この危険が無くなる。
【０００７】
下葺き外囲板（１８）を敷設するときは、妻梁（６）上に母屋（支持ベース材）（２０）を架設する。下葺き外囲板（１８）は同じ形状の長尺ものが複数用意される。各外囲板（１８）は、互いに並列に配置された状態で、互いに接合され、母屋（２０）にビス止め固定される。各外囲板（１８）の接合部には全長にわたって凸部（２２）が略等間隔で形成される。前記凸部（２２）の各上端は同一水平面上に配置され、各上端は野地板支持台を構成する。
【０００８】
[第３工程]
次に母屋（２０）にパラペット（欄干）（２４）の下地を構築する。
[第４工程（野地面構築工程）]
次に前記下葺き外囲板（１８）の凸部（２２）上に合板などの野地板（２６）を水平に配置し、ビスなどによってこの野地板（２６）を下葺き外囲板（１８）の凸部（２２）に固定する（図１Ｂ参照）。
【０００９】
これにより、下葺き外囲板（１８）と野地板（２６）との結合から成る屋根支持構造体に、断面四角形の野地板（２６）の全長に亘って延びる中空の補強空間（２３）が複数形成され、頑丈な屋根支持構造体が構成される。
【００１０】
[第５工程（断熱材敷設工程）]
次に平坦な野地面上に複数の下地断熱材（２８）を敷設する（図１Ｃ参照）。
下地断熱材（２８）は四角形のエチレンフォームなどの発泡材その他の同効材から成り、表面に勾配が形成されている。野地面上に配置される複数の細長状の金属垂木（３０）は、下地断熱材（２８）の勾配の段差の整数倍の高さの支持面を有している。
【００１１】
野地面上に直接あるいは金属垂木（３０）を介して複数の下地断熱材（２８）を互いに隣接するように載置し、金属垂木（３０）の支持面によって、上流側の下地断熱材（２８）の高さを、隣接する下流側の下地断熱材（２８）の高さよりも前記勾配の段差分持ち上げ、勾配方向に接合する上流側と下流側の下地断熱材（２８）の接合部の高さを一致させている。
【００１２】
これにより、接合された下地断熱材（２８）の表面は、雨水を所定方向に案内するための、図２に示す、山型のなだらかな勾配表面を形成する。
[第６工程（下葺き材敷設工程）]
次に、下地断熱材（２８）の上にゴムアスファルトルーフィングなどの防水シート（３２）を敷設する（図１Ｄ参照）。
【００１３】
[第７工程（バックアップ材敷設工程）]
次に、防水シート（３２）の上に合板からなるバックアップ材（３４）を敷設する（図１Ｅ参照）。バックアップ材（３４）は、図４に示すように、下地断熱材（２８）の勾配方向に複数の溝（３６）が所定の間隔を存して形成されるように配置する。
【００１４】
[第８工程（葺上げ工程）]
次に、バックアップ材（３２）上に葺上げ材（３８）を敷設し屋根を形成する（図１Ｆ参照）。葺上げ材（３８）をバックアップ材（３４）上に敷設するときは、まず、バックアップ材（３４）に形成された溝（３６）に金属板から成るガーター（４０）を嵌合配置し、このガーター（４０）の両側をバックアップ材（３４）にビス止めする。
【００１５】
ガーター（４０）内には、ジョイナー（４２）との相互作用によって葺上げ材（３８）の側部を挟持する金属製のキーパー（４４）を配置する。金属板から成る複数の葺上げ材（３８）をその側部がガーター（４０）上で対向するように並列に配置し、各々の下面をバックアップ材（３４）の上面に接着する。
【００１６】
ガーター（４０）上で対向する一対の葺上げ材（３８）の側部間にジョイナー（４２）の係合部が挿入され、この係合部は、キーパー（４４）側の係合部に係合し、隣接する葺上げ材（３８）の対向部は、ジョイナー（４２）によって塞がれる。
【００１７】
［第９工程］
葺上げ材（３８）の敷設作業が完了したら、箱樋（４６）、ドレン（４８）を施工するとともに、竪樋（５０）の取付を行う。次に、パラペット（２４）の化粧貼り、笠木（５０）施工、手摺（５２）取付、階段取付、塗装工事等を行う。また、葺上げ材（３８）の屋根面上にタイルを敷いたり、あるいは、人工芝を貼ったりしても良い。
【００１８】
また、特許第２９６４２２３号に開示されているように、水溜め部を形成できる外囲板を採用し、この水溜め部に吸水材を配置し、この吸水材に植物を植栽できる緑化屋根構造を採用するようにしても良い。
【００１９】
なお、本実施形態では、既存の建物の屋根の改修工法について説明したが、建物を新築するときでも、外壁部分が出来上がった段階で、建物の内部が風雨に晒される危険があることは、既存屋根改修工事と同一であり、従って、本発明は特に既存屋根の改修に限定されるものではない。また、本実施形態では、野地板（２６）上に断熱材（２８）とバックアップ材（３４）を介して葺上げ材（３８）を敷設したが、野地板（２６）の上に直接、葺上げ材を敷設するようにしても良い。
【発明の効果】
本発明は上述の如く、屋根部の構築に際し、最初に外囲板を敷設するようにしたので屋根が未完成の状態おいて建物の内部を風雨から守ることができる。しかも、下葺き外囲板の凸部に野地板を固定することにより、中空の補強空間を形成でき、強度の高い屋根支持構造体を構成することができる。これにより、屋根面を強固な屋上や庭園として利用することができる等の効果が存する。
【図面の簡単な説明】
【図１】本発明の説明図である。
【図２】本発明の説明図である。
【図３】Ａ−Ａ線断面図である。
【図４】Ｂ−Ｂ線断面図である。
【符号の説明】
２        建物
４        屋根部分
６        妻梁
８        束
１０      母屋
１２      垂木
１４      野地板
１６      屋根材
１８      下葺き外囲板
２０      母屋
２２      凸部
２３      補強空間
２４      パラペット
２６      野地板
２８      下地断熱材
３０      金属垂木
３２      防水シート
３４      バックアップ材
３６      溝
３８      葺上げ材
４０      ガーター
４２      ジョイナー
４４      キーパー
４６      箱樋
４８      ドレン
５０      笠木
５２      手摺
【図１】
0004642219.tif 000002
【図２】
0004642219.tif 000003
【図３】
0004642219.tif 000004
【図４】
0004642219.tif 000005